(57)【要約】【課題】背面に設けられた信号の入出力部へのケーブルや記録メディア等の接続が容易な映像表示装置を提供する。【解決手段】ディスプレイと、背面に配置されている信号の入出力部とを備える映像表示装置であって、前記ディスプレイが、前記映像表示装置の背面視を左右反転した画像に基づく画像を表示する映像表示装置。さらに、前記映像表示装置の背面視を左右反転した画像に基づく画像において、前記背面に配置されている信号の入出力部の内、選択された入力モードに対応するものがハイライト表示され（図２では実線で示す）、それ以外のものがグレーアウト表示される（図２では点線で示す）ことが望ましい。【選択図】図２
2011176473.tif 000002
【特許請求の範囲】
【請求項１】
ディスプレイと、背面に配置されている信号の入出力部とを備える映像表示装置であって、
前記ディスプレイが、前記映像表示装置の背面視を左右反転した画像に基づく画像を表示することを特徴とする映像表示装置。
【請求項２】
前記映像表示装置の背面視を左右反転した画像に基づく画像が、前記背面に配置されている信号の入出力部を前記ディスプレイの表示画面の法線方向に前記ディスプレイの表示画面上に投影した画像となっていることを特徴とする請求項１に記載の映像表示装置。
【請求項３】
前記映像表示装置の背面視を左右反転した画像に基づく画像において、前記背面に配置されている信号の入出力部の内、選択された入力モードに対応するものがハイライト表示され、それ以外のものがグレーアウト表示されることを特徴とする請求項１または請求項２に記載の映像表示装置。
【請求項４】
前記背面に配置されている信号の入出力部のそれぞれに対して、ケーブル又は記録メディアが接続されたことを検出する接続検出スイッチを設けることを特徴とする請求項１〜３のいずれか１項に記載の映像表示装置。
【請求項５】
前記背面に配置されている信号の入出力部の内、選択された入力モードに対応するものに、ケーブル又は記録メディアが接続されていないことが、前記接続検出スイッチの検出結果に基づいて判明した場合、ユーザの操作指示に応じて、又は、自動的に、前記ディスプレイが、前記映像表示装置の背面視を左右反転した画像に基づく画像を表示することを特徴とする請求項４に記載の映像表示装置。
【発明の詳細な説明】
【技術分野】
【０００１】
本発明は、映像表示装置に関し、特に信号の入出力部を背面に備える映像表示装置に関する。
【背景技術】
【０００２】
従来より、操作キーに関する情報や外部機器との接続に関する情報を画像表示することができる映像表示装置が種々提案されている。
【０００３】
例えば、特許文献１では、側面に配置された各操作キーの名称及び位置を画像表示する映像表示装置が提案されている。また、例えば、特許文献２では、外部端子の接続状況を、音、音声、又はＬＥＤによりユーザに報知するテレビ装置が提案されている。また、例えば、特許文献３では、カタログ情報又はサービスステーションの連絡先を画像表示する映像機器が提案されている。
【先行技術文献】
【特許文献】
【０００４】
【特許文献１】特開２００１−２３８１４６号公報（要約）
【特許文献２】特開２００９−１９４５３４号公報（第２頁）
【特許文献３】特開平７−２４０８８４号公報（要約）
【発明の概要】
【発明が解決しようとする課題】
【０００５】
映像表示装置がコンシュマー向けの製品である場合、映像表示装置の設置後にユーザ自身が映像表示装置と外部機器との接続を行うことが多い。しかしながら、映像表示装置に設けられた信号の入出力部（外部端子やカードスロット等）にケーブルや記録メディア等を接続する作業は、専門的な知識を持っていないユーザにとっては非常に解りにくく、映像表示装置を設置する際の最大の課題となっている。かかる課題の解決策として、メーカー側は、一般的に、紙媒体での取り扱い説明書の添付、映像表示装置のキャビネットへのラベル貼付等で、ユーザに接続に関する情報の提供を行っている。
【０００６】
また、一般的に映像表示装置は、背面が部屋の壁に対向する状態で設置されることが多い。このような設置状況では、映像表示装置を動かさない限り、映像表示装置の背面に配置されている信号の入出力部をユーザが目視することは困難であった。そのため、信号の入出力部を側面や前面に配置して、信号の入出力部をユーザが容易に目視することができるような設計を採用することがあるが、近年、特に液晶ディスプレイ等において、薄型化やデザイン面から、信号の入出力部を背面に配置する設計が増えている。
【０００７】
上述した紙媒体での取り扱い説明書を添付する方策の場合、ユーザが取り扱い説明書をわざわざ参照する必要があり、接続に関する情報をユーザが迅速に取得することができなかった。また、取り扱い説明書に映像表示装置の背面図が記載されていても、背面に配置されている信号の入出力部をユーザが目視することができない設置状況では、取り扱い説明書に記載されている映像表示装置の背面図を参照して、背面に配置されている信号の入出力部の位置をユーザが想像することは困難であった。
【０００８】
また、上述した映像表示装置のキャビネットにラベルを貼付する方策の場合、背面が部屋の壁に対向する状態で設置される設置状況では、映像表示装置を動かさない限り、背面に配置されている信号の入出力部に関するラベルをユーザが目視することは困難であった。
【０００９】
なお、特許文献１で提案されている映像表示装置は、側面に配置されている各操作キーの名称及び位置を画像表示するものであって、背面に配置されている信号の入出力部へのケーブルや記録メディア等の接続を容易にするものではない。
【００１０】
また、特許文献２で提案されているテレビ装置は、外部端子の接続状況を、音、音声、又はＬＥＤによりユーザに報知するものであって、接続状況の把握は容易になるが、背面に配置されている信号の入出力部へのケーブルや記録メディア等の接続自体を容易にするものではない。
【００１１】
また、特許文献３で提案されている映像機器は、カタログ情報又はサービスステーションの連絡先を画像表示するものであって、たとえ当該カタログ情報に映像表示装置の背面図が記載されていても、背面に配置されている信号の入出力部をユーザが目視することができない設置状況では、カタログ情報に記載されている映像表示装置の背面図を参照して、背面に配置されている信号の入出力部の位置をユーザが想像することは困難である。したがって、特許文献３で提案されている映像機器は、背面に設けられた信号の入出力部へのケーブルや記録メディア等の接続を容易にするものではない。
【００１２】
本発明は、上記の状況に鑑み、背面に設けられた信号の入出力部へのケーブルや記録メディア等の接続が容易な映像表示装置を提供することを目的とする。
【課題を解決するための手段】
【００１３】
上記目的を達成するために本発明に係る映像表示装置は、ディスプレイと、背面に配置されている信号の入出力部とを備える映像表示装置であって、前記ディスプレイが、前記映像表示装置の背面視を左右反転した画像に基づく画像を表示する構成（第１の構成）としている。
【００１４】
また、上記第１の構成の映像表示装置において、前記映像表示装置の背面視を左右反転した画像に基づく画像が、前記背面に配置されている信号の入出力部を前記ディスプレイの表示画面の法線方向に前記ディスプレイの表示画面上に投影した画像となっている構成（第２の構成）としてもよい。
【００１５】
また、上記第１又は第２の構成の映像表示装置において、前記映像表示装置の背面視を左右反転した画像に基づく画像において、前記背面に配置されている信号の入出力部の内、選択された入力モードに対応するものがハイライト表示され、それ以外のものがグレーアウト表示される構成（第３の構成）としてもよい。
【００１６】
また、上記第１〜第３のいずれかの構成の映像表示装置において、前記背面に配置されている信号の入出力部のそれぞれに対して、ケーブル又は記録メディアが接続されたことを検出する接続検出スイッチを設ける構成（第４の構成）としてもよい。
【００１７】
また、上記第４の構成の映像表示装置において、前記背面に配置されている信号の入出力部の内、選択された入力モードに対応するものに、ケーブル又は記録メディアが接続されていないことが、前記接続検出スイッチの検出結果に基づいて判明した場合、ユーザの操作指示に応じて、又は、自動的に、前記ディスプレイが、前記映像表示装置の背面視を左右反転した画像に基づく画像を表示する構成としてもよい。
【発明の効果】
【００１８】
本発明に係る映像表示装置によると、映像表示装置の背面視を左右反転した画像に基づく画像がディスプレイに表示されるので、背面に配置されている信号の入出力部をユーザが目視することができない設置状況であっても、ディスプレイの表示を参照して、背面に配置されている信号の入出力部の位置をユーザが想像することが容易になる。したがって、本発明に係る映像表示装置は、背面に設けられた信号の入出力部へのケーブルや記録メディア等の接続を容易にすることができる。
【図面の簡単な説明】
【００１９】
【図１】本発明の一実施形態に係る映像表示装置の背面図である。
【図２】本発明の一実施形態に係る映像表示装置の正面図である。
【図３】本発明の一実施形態に係る映像表示装置の映像信号処理に関するシステム構成を示すブロック図である。
【図４】各メニューの表示例を示す図である。
【図５】本発明の変形例を示す映像表示装置の正面図である。
【図６】本発明の他の変形例を示す映像表示装置の正面図である。
【発明を実施するための形態】
【００２０】
本発明の実施形態について図面を参照して以下に説明する。本発明の一実施形態に係る映像表示装置の背面図を図１に示す。図１に示す通り、本発明の一実施形態に係る映像表示装置は、ＶＩＤＥＯ１用外部入力端子１と、ＶＩＤＥＯ２用外部入力端子２と、音声出力端子３と、アンテナ入力端子４と、ＨＤＭＩ端子５とをキャビネット１００の背面に備え、デジタル音声出力端子６と、ＰＣ入力端子７と、ＵＳＢ端子８と、ＳＤカードスロット９とをキャビネット１００の側面に備えている。
【００２１】
ＶＩＤＥＯ１用外部入力端子１の近傍には「VIDEO１」と印字されたラベルが貼付されている。ＶＩＤＥＯ２用外部入力端子２の近傍には「VIDEO２」と印字されたラベルが貼付されている。音声出力端子３の近傍には「Audio OUT」と印字されたラベルが貼付されている。アンテナ入力端子４の近傍には「ANT」と印字されたラベルが貼付されている。ＨＤＭＩ端子５の近傍には「HDMI」と印字されたラベルが貼付されている。デジタル音声出力端子６の近傍には「Audio DIGITAL OUT」と印字されたラベルが貼付されている。ＰＣ入力端子７の近傍には「PC INPUT」と印字されたラベルが貼付されている。ＵＳＢ端子８の近傍には「USB」と印字されたラベルが貼付されている。ＳＤカードスロット９の近傍には「SD Card」と印字されたラベルが貼付されている。
【００２２】
ユーザは、本発明の一実施形態に係る映像表示装置の設置後に、映像表示装置と外部機器とを接続するために、映像表示装置に設けられた信号の入出力部（ＶＩＤＥＯ１用外部入力端子１、ＶＩＤＥＯ２用外部入力端子２、音声出力端子３、アンテナ入力端子４、ＨＤＭＩ端子５、デジタル音声出力端子６、ＰＣ入力端子７、ＵＳＢ端子８、ＳＤカードスロット９）の一部又は全部にケーブルや記録メディア等を接続する作業を行わなければならない。
【００２３】
本発明の一実施形態に係る映像表示装置は、背面に設けられた信号の入出力部へのケーブルや記録メディア等の接続を容易にする機能を有している。当該機能について以下に説明する。
【００２４】
本発明の一実施形態に係る映像表示装置の正面図を図２に示す。表示画面１０１が、本発明の一実施形態に係る映像表示装置の正面の大半を占めている。そして、表示画面１０１の周囲をキャビネット１００が囲んでいる。通常、表示画面１０１には、信号の入出力部に入力された映像信号に基づく映像が表示される。
【００２５】
また、本発明の一実施形態に係る映像表示装置は、図２に示す通り、映像表示装置の背面視を左右反転した画像に基づく画像をＯＳＤ機能により表示画面１０１に表示することができる。映像表示装置の背面視を左右反転した画像に基づく画像が表示画面１０１に表示されると、背面に配置されている信号の入出力部をユーザが目視することができない設置状況であっても、表示画面１０１の表示を参照して、背面に配置されている信号の入出力部の位置をユーザが想像することが容易になる。したがって、本発明の一実施形態に係る映像表示装置は、背面に設けられた信号の入出力部へのケーブルや記録メディア等の接続を容易にすることができる。
【００２６】
なお、本実施形態では、映像表示装置の背面視を左右反転した画像に基づく画像は、背面に配置されている信号の入出力部を表示画面１０１の法線方向に表示画面１０１上に投影した画像となっている。これにより、背面に配置されている信号の入出力の実際の位置を表示画面１０１での画像表示で案内することができるので、背面に設けられた信号の入出力部へのケーブルや記録メディア等の接続を非常に容易にすることができる。
【００２７】
ここで、本発明の一実施形態に係る映像表示装置の映像信号処理に関するシステム構成を図３に示す。本発明の一実施形態に係る映像表示装置は、映像表示装置全体を制御するとともに映像信号の処理を行うＣＰＵ／映像プロセッサ１１と、リモコン送信機（不図示）からのリモコン信号を受信してリモコン信号による指示をＣＰＵ／映像プロセッサ１１に伝送するリモコン受信部１２と、ＣＰＵ／映像プロセッサ１１から出力されるデータに応じてディスプレイ１４を制御するディスプレイ制御部１３と、表示画面１０１（図２参照）を有し表示画面１０１に画像を表示するディスプレイ１４と、データを一時的に記憶するＤＲＡＭ１５と、プログラムやデータを不揮発的に記憶しているフラッシュメモリ１６と、外部から映像信号を入力する外部入力端子１７と、外部入力端子１７が入力した映像信号を処理してＣＰＵ／映像プロセッサ１１に出力する外部入力信号処理部１８と、映像信号を外部から入力する又は外部に出力する外部入出力端子１９と、外部入出力端子１９及びＣＰＵ／映像プロセッサ１１間を行き来する映像信号を処理する外部入出力信号処理部２０と、ＳＤカードの接続が可能なカードスロット２１と、カードスロット２１及びＣＰＵ／映像プロセッサ１１間を行き来する映像信号を処理する外部入出力信号処理部２２と、外部入力端子１７にケーブルのコネクタが挿し込まれたことを検出する接続検出スイッチＳＷ１と、外部入出力端子１９にケーブルのコネクタが挿し込まれたことを検出する接続検出スイッチＳＷ２と、カードスロット２１にＳＤカードが挿し込まれたことを検出する接続検出スイッチＳＷ３とを、キャビネット１００の内部に備えている。なお、外部入力端子１７、外部入力信号処理部１８、及び接続検出スイッチＳＷ１は１組しか図示されていないが、実際には複数組設けられている。また、ＣＰＵ／映像プロセッサ１１はＯＳＤ機能を搭載している。
【００２８】
本発明の一実施形態に係る映像表示装置が図２に示す画像表示を行う場合、ＣＰＵ／映像プロセッサ１１が、背面に配置されている信号の入出力部を表示画面１０１の法線方向に表示画面１０１上に投影した画像のデータをフラッシュメモリ１６から読み出し、それをＤＲＡＭ１５に展開し、ディスプレイ制御装置１３を通して、ディスプレイ１４の表示画面１０１に当該画像をＯＳＤにより表示する。当該画像のデータ（背面に配置されている信号の入出力部を表示画面１０１の法線方向に表示画面１０１上に投影した画像のデータ）は、メモリの容量削減のため、圧縮画像データであるＪＰＥＧ方式にてフラッシュメモリ１６に記憶されている。
【００２９】
背面に配置されている信号の入出力部の実際の位置が機種別、画面サイズ毎に異なることが多々ある。このため、本発明の一実施形態に係る映像表示装置では、機種別識別コードと共にテーブルで管理されたＸ座標，Ｙ座標がフラッシュメモリ１６に記憶されている。上記のように、背面に配置されている信号の入出力部を表示画面１０１の法線方向に表示画面１０１上に投影した画像のデータをフラッシュメモリ１６から読み出す場合、フラッシュメモリ１６に記憶されている機種別識別コードを元に、本発明の一実施形態に係る映像表示装置に適合するＸ座標，Ｙ座標をテーブルから読み出し、この読み出したＸ座標，Ｙ座標に基づき、背面に配置されている信号の入出力部を表示画面１０１の法線方向に表示画面１０１上に投影した画像の表示画面１０１上の表示位置を設定している。
【００３０】
背面に配置されている信号の入出力部を表示画面１０１の法線方向に表示画面１０１上に投影した画像がＯＳＤにより表示されるタイミングとしては、例えば以下に示す３つのパターンが考えられる。
【００３１】
まず、１つ目のパターンについて説明する。ユーザがリモコン送信機（不図示）の入力切り替えキーにより入力モードを選択する。この際、選択された入力モードに対応する端子又はカードスロットに外部から信号が入力されていれば、その入力されている信号に基づく映像がディスプレイ１４の表示画面１０１に表示される。
【００３２】
これに対して、選択された入力モードに対応する端子又はカードスロットに外部から信号が入力されていなければ、「信号が入力されていません」及び「決定キーで端子，カードスロットの位置をガイドします」というメッセージがＯＳＤによりディスプレイ１４の表示画面１０１に表示される。この状態で、ユーザがリモコン送信機（不図示）の決定キーを押すと、背面に配置されている信号の入出力部を表示画面１０１の法線方向に表示画面１０１上に投影した画像がＯＳＤによりディスプレイ１４の表示画面１０１に表示される。
【００３３】
例えば、「ＶＩＤＥＯ２」の入力モードが選択された状態で、ユーザがリモコン送信機（不図示）の決定キーを押した場合、図２に示す画面表示にすることが望ましい。図２に示す画面表示では、選択された入力モードである「ＶＩＤＥＯ２」の端子がハイライト表示され（図中では実線で示す）、それ以外の端子やカードスロットはグレーアウト表示される（図中では点線で示す）。これにより、必要とする入出力部の情報のみを強調してユーザに知らせることができると共に、他の入出力部との配置関係もユーザに知らせることができる。
【００３４】
なお、上記の実施例の代わりに、選択された入力モードに対応する端子又はカードスロットに外部から信号が入力されていなければ、自動的に、「端子へのケーブル接続又はカードスロットへのメディア接続が必要です」というメッセージがＯＳＤによりディスプレイ１４の表示画面１０１に表示され、それに続いて、背面に配置されている信号の入出力部を表示画面１０１の法線方向に表示画面１０１上に投影した画像がＯＳＤによりディスプレイ１４の表示画面１０１に表示されるようにしてもよい。
【００３５】
続いて、２つ目のパターンについて説明する。上述した１つ目のパターンでは、選択された入力モードに対応する端子又はカードスロットに外部から信号が入力されていないとＣＰＵ／映像プロセッサ１１が判断した場合に、ＯＳＤ表示を行うようにしたが、２つ目のパターンでは、選択された入力モードに対応する端子又はカードスロットにケーブルのコネクタ又はＳＤカードが接続されていないとＣＰＵ／映像プロセッサ１１が接続検出スイッチＳＷ１、ＳＷ２、又はＳＷ３の検出結果に基づき判断した場合に、ＯＳＤ表示を行うようにする。ＯＳＤ表示の内容については、上述した１つ目のパターンと同様であるので、ここでは説明を省略する。
【００３６】
なお、２つ目のパターンを実施しない場合は、本発明の一実施形態に係る映像表示装置から接続検出スイッチＳＷ１〜ＳＷ３を取り除いてもよい。
【００３７】
最後に、３つ目のパターンについて説明する。フラッシュメモリ１６は、各メニューの表示に必要なＯＳＤデータを予め記憶している。
【００３８】
ユーザがリモコン送信機（不図示）のメニューキーを押した場合、ディスプレイ１４の表示画面１０１にメニュー画面（図４（ａ）参照）が表示される。ユーザがリモコン送信機（不図示）のキー操作によりメニュー画面中の一項目であるヘルプメニューを選択すると、ディスプレイ１４の表示画面１０１にヘルプメニュー画面（図４（ｂ）参照）が表示される。
【００３９】
ユーザがリモコン送信機（不図示）のキー操作によりヘルプメニュー画面中の一項目である接続セットアップヘルプメニューを選択すると、ディスプレイ１４の表示画面１０１に接続セットアップヘルプメニュー画面（図４（ｃ）参照）が表示される。
【００４０】
ユーザがリモコン送信機（不図示）のキー操作により接続セットアップヘルプメニュー画面中の一項目である接続ヘルプを選択すると、ディスプレイ１４の表示画面１０１に接続ヘルプメニュー画面（図４（ｄ）参照）が表示される。
【００４１】
例えば、ユーザがリモコン送信機（不図示）のキー操作により接続セットアップヘルプメニュー画面中の一項目である「ＶＩＤＥＯ２」を選択すると、図２に示す画面表示になる。すなわち、背面に配置されている信号の入出力部を表示画面１０１の法線方向に表示画面１０１上に投影した画像がＯＳＤによりディスプレイ１４の表示画面１０１に表示され、当該画像において、選択された入力モードに対応する端子又はカードスロットがハイライト表示され、それ以外の端子やカードスロットはグレーアウト表示される。
【００４２】
＜変形例＞
以上、本発明に係る実施形態について説明したが、本発明の範囲はこれに限定されるものではなく、発明の主旨を逸脱しない範囲で種々の変更を加えて実行することができる。変更のいくつかの例を以下に示す。
【００４３】
映像表示装置の背面視を左右反転した画像に基づく画像は、上述した実施形態のように、背面に配置されている信号の入出力部を表示画面１０１の法線方向に表示画面１０１上に投影した画像とすることが望ましいが、本発明はこれに限定されることはなく、例えば、映像表示装置の背面視を左右反転した画像の縮小画像等であっても構わない。
【００４４】
また、キャビネット１００の上面、下面、あるいは側面に配置される信号の入出力部であって、表示画面１０１の法線方向に表示画面１０１上に投影することができないものは、配置されている位置に近い表示画面１０１の表示領域に表示してもよい。この場合、表示画面１０１の法線方向に表示画面１０１上に投影したことが分かるようにしておくことが望ましい。例えば、上述した本発明の一実施形態に係る映像表示装置のキャビネット１００の上面に外部入力端子を追加した場合、図５に示すようなＯＳＤ表示を行うようにすればよい。
【００４５】
また、図６に示すＯＳＤ表示のように、信号の入出力部へのケーブルや記録メディア等の接続に関する注意事項も表示するようにしてもよい。
【符号の説明】
【００４６】
１  ＶＩＤＥＯ１用外部入力端子
２  ＶＩＤＥＯ２用外部入力端子
３  音声出力端子
４  アンテナ入力端子
５  ＨＤＭＩ端子
６  デジタル音声出力端子
７  ＰＣ入力端子
８  ＵＳＢ端子
９  ＳＤカードスロット
１１  ＣＰＵ／映像プロセッサ
１２  リモコン受信部
１３  ディスプレイ制御部
１４  ディスプレイ
１５  ＤＲＡＭ
１６  フラッシュメモリ
１７  外部入力端子
１８  外部入力信号処理部
１９  外部入出力端子
２０  外部入出力信号処理部
２１  カードスロット
２２  外部入出力信号処理部
ＳＷ１〜ＳＷ３  接続検出スイッチ
１００  キャビネット
１０１  表示画面
【図１】
2011176473.tif 000003
【図２】
2011176473.tif 000004
【図３】
2011176473.tif 000005
【図４】
2011176473.tif 000006
【図５】
2011176473.tif 000007
【図６】
2011176473.tif 000008